(57)【要約】【課題】緊急警報放送のサービスに対応していない、従来型の放送受信装置であっても、緊急警報放送を放送受信装置でいち早く提示させる放送装置及び放送方法を提供する。【解決手段】デジタル放送の所定のチャンネルの放送波を受信する受信部と、前記受信部で受信した放送波に緊急警報放送に関する情報が含まれているか否かを判定する判定部と、  前記判定部での判定結果に基づき、放送波のチャンネルを特定する制御部と、放送データを生成する放送データ生成部と、前記放送データ生成部で生成した放送データを放送波として送信する送信部と、を含んで構成され、前記放送データ生成部は、前記送信部で送信した放送波を受信した受信装置に前記制御部で特定したチャンネルを選局させる情報を含んだ放送データを生成する、ことを特徴とするデジタル放送装置。【選択図】図２
2015126328.tif 000002
【特許請求の範囲】
【請求項１】
デジタル放送の所定のチャンネルの放送波を受信する受信部と、
前記受信部で受信した放送波に緊急警報放送に関する情報が含まれているか否かを判定する判定部と、
前記判定部での判定結果に基づき、放送波のチャンネルを特定する制御部と、
放送データを生成する放送データ生成部と、
前記放送データ生成部で生成した放送データを放送波として送信する送信部と、
を含んで構成され、
前記放送データ生成部は、前記送信部で送信した放送波を受信した受信装置に前記制御部で特定したチャンネルを選局させる情報を含んだ放送データを生成する、
ことを特徴とするデジタル放送装置。
【請求項２】
前記受信部で受信した放送波の品質を測定する測定部と、
を更に含み、
前記制御部は、前記判定部での判定結果及び前記測定部での測定結果に基づき、緊急警報放送に関する情報が含まれていると判定された放送波の中から品質の高い放送波のチャンネルを優先して特定する、
ことを特徴とする請求項１に記載のデジタル放送装置。
【請求項３】
前記受信部は、デジタル放送の所定のチャンネルの放送波を１以上の方向に対して指向性を持って受信し、
前記送信部は、前記放送データ生成部で生成した放送データを放送波として特定の方向に対して指向性を持って送信し、
前記制御部は、前記判定部での判定結果、前記測定部での測定結果及び前記送信部での特定の方向に基づき、放送波のチャンネルを特定する、
ことを特徴とする請求項２に記載のデジタル放送装置。
【請求項４】
デジタル放送の所定のチャンネルの放送波を受信する受信ステップと、
受信した放送波に緊急警報放送に関する情報が含まれているか否かを判定する判定ステップと、
前記判定結果に基づき、放送波のチャンネルを特定する制御ステップと、
放送データを生成する放送データ生成ステップと、
放送データを放送波として送信する送信ステップと、
を含んで構成され、
前記放送データ生成ステップは、前記送信ステップで送信した放送波を受信した受信装置に前記制御ステップで特定したチャンネルを選局させる情報を含んだ放送データを生成する、
ことを特徴とするデジタル放送方法。
【発明の詳細な説明】
【技術分野】
【０００１】
本発明は、デジタル放送の放送装置に関し、放送受信装置に緊急警報放送を提示させる放送装置及び放送方法に関する。
【背景技術】
【０００２】
日本国で運用されている地上デジタルテレビジョン放送（以下、地デジ放送）では、地震・津波などの災害発生をいち早く知らせる緊急警報放送（緊急警報信号（Emergency Warning Signal: EWS）を利用した放送）のサービスが行われている。緊急警報放送に対応している放送受信装置では、緊急警報信号を受信すると、通電待機状態（電源はつながっていてもスイッチがOFFの状態）でも自動的に起動し、緊急警報放送が提示され、視聴者は災害発生をいち早く知ることができる。
【０００３】
しかしながら、緊急警報放送のサービスは、実施している放送事業者もあれば実施していない放送事業者もある。特に近年開始された、小規模のエリアを対象としたエリア放送においては、工数、コスト及び放送設備等のリソース的な制限により、緊急警報放送を実施することは多く無い。また、放送受信装置のユーザが、緊急放送放送を行っている放送局のチャンネル以外のチャンネルを選局して視聴している場合は、緊急警報放送が行われていても緊急警報放送に気付くことが出来ないこともある。
【０００４】
この問題を解決するために、緊急警報放送のサービスを実施していない、放送事業者のサービス（チャンネル）や地域限定の独自放送（エリア放送）を視聴中であっても、確実に緊急警報放送が開始されたことをユーザに報知することのできる技法（放送装置および放送受信装置）が開示されている。（特許文献１参照）
【先行技術文献】
【特許文献】
【０００５】
【特許文献１】特開２００９−１３５６４５
【発明の概要】
【発明が解決しようとする課題】
【０００６】
しかしながら、特許文献１で開示されている技法では、放送装置と共に放送受信装置にも特許文献１で開示されている技法を適用しなければならい。従って放送受信装置のユーザには、特許文献１で開示されている技法が適用された放送受信装置を新たに調達する必要が生じるという課題があった。
【０００７】
また、緊急警報放送のサービスに対応した放送受信装置は、まだ広くは普及していない。
【０００８】
本発明は、上記従来の事情を鑑みてなされたものであり、その目的は、緊急警報放送のサービス（緊急警報信号の検出）に対応していない、従来型の放送受信装置であっても、緊急警報放送を放送受信装置でいち早く提示させる放送装置及び放送方法を提供することを目的としている。
【課題を解決するための手段】
【０００９】
上記課題を解決するために、本発明は下記の装置及び方法を提供するものである。
（１）デジタル放送の所定のチャンネルの放送波を受信する受信部と、前記受信部で受信した放送波に緊急警報放送に関する情報が含まれているか否かを判定する判定部と、前記判定部での判定結果に基づき、放送波のチャンネルを特定する制御部と、放送データを生成する放送データ生成部と、前記放送データ生成部で生成した放送データを放送波として送信する送信部と、を含んで構成され、前記放送データ生成部は、前記送信部で送信した放送波を受信した受信装置に前記制御部で特定したチャンネルを選局させる情報を含んだ放送データを生成する、ことを特徴とするデジタル放送装置。
（２）デジタル放送の所定のチャンネルの放送波を受信する受信ステップと、受信した放送波に緊急警報放送に関する情報が含まれているか否かを判定する判定ステップと、前記判定結果に基づき、放送波のチャンネルを特定する制御ステップと、放送データを生成する放送データ生成ステップと、放送データを放送波として送信する送信ステップと、
を含んで構成され、前記放送データ生成ステップは、前記送信ステップで送信した放送波を受信した受信装置に前記制御ステップで特定したチャンネルを選局させる情報を含んだ放送データを生成する、ことを特徴とするデジタル放送方法。
【発明の効果】
【００１０】
本発明によれば、緊急警報放送のサービスに対応していない、従来型の放送受信装置であっても、緊急警報放送を放送受信装置でいち早く提示させることにより、当該放送受信装置のユーザに緊急警報放送をいち早く視聴させることが可能となる。
【図面の簡単な説明】
【００１１】
【図１】本発明の実施例に係るエリア放送装置の送受信の様子の一例を示す図である。
【図２】エリア放送装置１０の構成を示す図である。
【図３】記憶部２１で記憶するチャンネルと受信電力の例を示す図である。
【図４】エリア放送装置１０の処理の流れを示す図である。
【図５】記憶部２１で記憶するチャンネルと受信電力と受信方向との例を示す図である。
【発明を実施するための形態】
【００１２】
（実施例１）
本発明を具体的に説明する前に、まず概要を述べる。
【００１３】
図１は、本発明の実施例に係るエリア放送装置１０の放送の受信及び送信の様子の一例を示す図である。
【００１４】
エリア放送装置１０は、例えば、エリア放送装置１０の内部に格納されている放送データを、エリア放送装置１０に接続された送信アンテナ１８を介してチャンネル１１ｃｈで放送する。この放送データの種類には、映像/音声の他、データ放送等のデータも含まれ、各種類の放送データは多重化されて放送される。また、エリア放送装置１０による放送は、一般社団法人電波産業会（ＡＲＩＢ）のエリア放送運用規定（ＡＲＩＢ  ＴＲ−Ｂ３５）及びこのエリア放送運用規定が参照/準拠している各種規定（地上デジタルテレビジョン放送運用規定（ＡＲＩＢ  ＴＲ−Ｂ１４）等）（以下まとめて、ＡＲＩＢ規定という）に基づいて行われる。
【００１５】
受信装置５０は、例えば、ＡＲＩＢ規定のＡプロファイルに準拠した放送受信機能を持つ受信装置である。受信装置５０は、エリア放送装置１０からの放送（チャンネル１１ｃｈ）を受信し映像/音声及びデータ放送等を提示する。なお、ここで受信装置５０は、ＡＲＩＢ規定に於いて必須ではない緊急警報放送（ＥＷＳ）の受信機能には対応していなくても良い。
【００１６】
基幹放送局３０ａ〜ｃは、ＮＨＫ等の基幹放送局で、緊急警報放送のサービスを実施していて、地震・津波などの災害発生時には、緊急警報放送信号を利用して緊急警報放送を行う。また、図１に示した通り、基幹放送局３０ａ〜ｃは、エリア放送装置１０も含めそれぞれ異なるチャンネルで放送している。なお、基幹放送局３０は、本実施例１の説明では基幹放送局３０ａ〜ｃの３つとしたが、１つ以上であれば良い。
【００１７】
エリア放送装置１０は、エリア放送装置１０に接続された受信アンテナ１１を介し、基幹放送局３０ａ〜ｃの放送を常時受信する。そして、基幹放送局３０ａ〜ｃの内、いずれか少なくとも１つの基幹放送局３０で緊急警報放送が開始された時、当該基幹放送局３０のチャンネルを受信装置５０に選局させる情報（以下、選局指示情報）を含んだ放送データを生成し放送する。例えば、基幹放送局３０ｃで緊急警報放送が開始された時は、チャンネル３３ｃｈの選局指示情報を含んだ放送データを生成し放送する。この選局指示情報の詳細については後述する。
【００１８】
エリア放送装置１０からの放送を受信している受信装置５０は、選局指示情報を含んだ放送を受信すると、選局指示情報に基づき、緊急警報放送が行われているチャンネルを選局し、緊急警報放送を提示する。すなわち上述の例に於いては、受信装置５０は、受信/提示中のチャンネル１１ｃｈから、チャンネル３３ｃｈに切替えて（選局して）、チャンネル３３ｃｈの緊急警報放送を提示する。
【００１９】
従って、受信装置５０は、エリア放送装置１０からの放送を受信していれば、エリア放送装置１０が受信している基幹放送局３０ａ〜ｃに於いて緊急警報放送が行われた時、当該緊急警報放送が行われているチャンネルを選局し提示することになる。よって、受信装置５０のユーザは、緊急警報放送をいち早く視聴することができる。
【００２０】
以下、諸図面を参照しながら、本発明を具体的に説明する。
【００２１】
図２は、本発明の実施例１に係るエリア放送装置１０の構成を示す図である。
・エリア放送装置１０は、受信アンテナ１１、受信部１２、判定部１３、測定部１４、制御部１５、放送データ生成部１６、送信部１７、送信アンテナ１８、記憶部２１及びタイマ２２を含んで構成される。
【００２２】
受信アンテナ１１は、複数の基幹放送局による複数の放送波を受信する。なお、基幹放送局に加え、エリア放送局の放送波も受信しても良い。
【００２３】
受信部１２は、受信アンテナ１１で受信した放送波の中の所定の１つのチャンネルの放送波を受信する。この所定のチャンネルには、エリア放送装置を設置した地点で受信可能な、例えば基幹放送局の内、緊急警報放送のサービスを実施しているチャンネルが、図示しない設定手段により予め設定されている。
【００２４】
判定部１３は、受信部１２で受信した放送波で緊急警報放送が行われているか否かを判定する。緊急警報放送の判定は、ＡＲＩＢ規定で規定されているようにＴＭＣＣ（Transmission and Multiplexing Configuration Control）信号の緊急警報放送用起動フラグ情報と、番組特定情報（Program Specific Information）のＰＭＴ（Program Map Table）に格納される緊急情報記述子の情報を用いて判定することができる。
【００２５】
測定部１４は、受信部１２で受信した放送波の品質を測定する。ここで放送波の品質とは、放送波の受信電力やＣ／Ｎ値（Carrier-to-noise ratio）等のことである。なお、本実施例１の説明では、説明の簡略化のため、放送波の品質は受信電力の値とする。
【００２６】
受信部１２、判定部１３及び測定部１４の組は、図２に示した通り、複数組あっても良い。複数組あった場合、受信部１２で受信する放送波のチャンネルを、それぞれ別のチャンネルとすることで、複数の放送波に対し、上述の判定処理及び測定処理を行なうことができる。なお、この組が一つの場合でも、受信部１２に於いて、受信する放送波のチャンネルを一定時間間隔で切替えることにより、複数の放送波に対し、上述した判定処理及び測定処理を行なうことができる。
【００２７】
制御部１５は、判定部１３で判定された緊急警報放送が行われているか否かに関する情報及び測定部１４で測定された受信電力に基づき、当該エリア放送装置１０からの放送波を受信している受信装置５０に於いて選局させるチャンネルを特定する。なお、このチャンネルの特定処理の詳細は、後述する図４のフローチャート（のステップＳ８）の説明の中で説明する。
【００２８】
記憶部２１は、受信部１２で受信しているチャンネルと、このチャンネルの放送波に対して測定部１４が測定した受信電力とを組として複数記憶する。図３は、記憶部２１で記憶するチャンネルと受信電力の例を示す図である。図３に示す通り、チャンネルと受信電力の１つの組は、１つの行に記憶される。
【００２９】
タイマ２２は、制御部１５の指示に基づき経過時間を計測する。
【００３０】
なお、制御部１５に、記憶部２１及びタイマ２２の、いずれか一方または両方の機能を含めても良い。
【００３１】
放送データ生成部１６は、映像/音声データ格納部２３、データ放送データ格納部２４、イベントメッセージ生成部２５及び多重化部２６を含んで構成される。
【００３２】
映像/音声データ格納部２３には、映像/音声のデータが予め格納されている。
【００３３】
データ放送データ格納部２４には、データ放送のデータが予め格納されている。
【００３４】
イベントメッセージ生成部２５は、制御部１５で特定されたチャンネルを、当該エリア放送装置１０からの放送波を受信している受信装置５０に於いて選局させる情報を含んだイベントメッセージを生成する。なおイベントメッセージも放送データの１種と言える。
【００３５】
多重化部２６は、映像/音声データ格納部２３に格納されている映像/音声のデータ、データ放送データ格納部２４に格納されているデータ放送のデータ及びイベントメッセージ生成部２５で生成されたイベントメッセージを多重化して放送データを生成する。なお多重化部２６は、地デジ放送で採用されているMPEG2-Systemの規格（ISO/IEC13818-1）に従い、映像、音声、データ放送、イベントメッセージのそれぞれのデータを固定長のTransport Streamパケットにパケット化して多重化する。
【００３６】
なお、イベントメッセージ生成部２５でイベントメッセージが生成されていない時は、映像/音声のデータ及びデータ放送のデータのみを多重化して放送データを生成する。
【００３７】
送信部１７は、多重化部で生成された放送データに対し、放送するために必要な変調処理等を行ない、送信アンテナ１８を介して放送波を送信する。なお送信部１７は、ＡＲＩＢ標準規格のエリア放送の伝送方式（A ARIB STD-B55）および当該標準規格が参照する地デジ放送の伝送方式（ARIB STD-B31）で定義されたＯＦＤＭ（orthogonal frequency-division multiplexing）信号に変調して、所定の物理チャンネルの帯域への周波数変換を行う。
【００３８】
次に、前述の選局指示情報の詳細について説明する。
【００３９】
この選局指示情報は、例えば、データ放送を利用したものである。エリア放送装置１０は、ＡＲＩＢ規定で規定されたデータ放送を放送する。受信装置３０は、このデータ放送のデータが含まれた放送を受信すると、ＡＲＩＢ規定に従い、データ放送のデータに含まれるＢＭＬ文書を解析し、ＢＭＬ文書に記載されたスクリプト等に従って、データ放送画面の提示処理等の各種処理を行なう。エリア放送装置１０が放送するＢＭＬ文書は、データ放送データ格納部２４に格納されていて、前述した通り、多重化部２６で多重化され放送される。
【００４０】
ＢＭＬ文書においては、ある特定の事象が発生（例えば、イベントメッセージの受信）した際に、特定の処理（例えば、選局処理）が行われるようにスクリプト等を記載することが可能である。エリア放送装置１０が放送するＢＭＬ文書には、受信装置２０がイベントメッセージを受信した際に、受信したイベントメッセージの識別子等に従い、基幹放送局３０ａ〜ｃの何れか一つのチャンネルを選局するようなスクリプトを記載しておく。そして、イベントメッセージ生成部２５は、制御部１５で特定されたチャンネルが、前述のＢＭＬ文書のスクリプトに従い受信装置２０により選局処理されるように、イベントメッセージの識別子等を設定してイベントメッセージを生成する。つまり、このＢＭＬ文書及びイベントメッセージが選局指示情報である。なお、上述のスクリプトには、ＡＲＩＢ規定で規定されているブラウザ擬似オブジェクトのｅｐｇＴｕｎｅ（）を利用することができる。
【００４１】
次に、エリア放送装置１０に於ける処理の流れについて説明する。
【００４２】
上記でも説明した通り、エリア放送装置１０では、映像/音声データ格納部２３に格納された映像/音声のデータ、データ放送データ格納部２４に格納されたデータ放送のデータ及びイベントメッセージ生成部２５で生成されたイベントメッセージ生成部２５を、多重化部２６で多重化し、送信部１７及び送信アンテナ１８を介して放送する。また、この処理と並行して、エリア放送装置１０は、図４のフローチャートに示す処理を行なう。
【００４３】
エリア放送装置１０の動作開始（電源オン）時は、記憶部２１には、チャンネルと受信電力との組が１つも記憶されていない。また、タイマ部２２は、０にリセットされた状態で経過時間の計測を開始していない。
【００４４】
まず、受信部１２は、受信アンテナ１１で受信した放送波の中の所定の１つのチャンネルの放送波を受信する（Ｓ１）。
【００４５】
次に、判定部１３は、緊急警報放送が行われているか否かを判定する（Ｓ２）。
【００４６】
緊急警報放送が行われていると判定した場合（Ｓ２のＹｅｓ）、測定部１４は、放送波の受信電力を測定する（Ｓ３）。
【００４７】
ステップＳ１からＳ３までの処理は、受信部１２、判定部１３及び測定部１４の組が複数ある場合は、各組で同時に並行して行われる。一方、ステップＳ４以降の処理は一つの制御部１５で行なわれる。制御部１５は、ステップＳ１からＳ３までのこの各組による処理を順次に受けて、ステップＳ４以降の処理を行なう。
【００４８】
ステップＳ３の次に、制御部１５は、ステップＳ１で受信部１２が受信したチャンネルと、ステップＳ３で測定部１４が測定した受信電力とを組として、記憶部２１に記憶する（Ｓ４）。なお既に同チャンネルが記憶部２１に記憶されている時は、そのチャンネルに対応する受信電力を、測定部１４が測定した今回の受信電力で記憶（更新）する。
【００４９】
次に、制御部１５は、タイマ２２が経過時間を計測中か否か判定する（Ｓ５）。
【００５０】
タイマ２２が経過時間を計測中で無い場合（Ｓ５のＮｏ）、制御部１５は、タイマ２２により経過時間の計測を開始する（Ｓ６）。
【００５１】
タイマ２２が経過時間を計測中の場合（Ｓ５のＹｅｓ）、ステップＳ６の処理は行なわず、ステップＳ７に進む。
【００５２】
ステップＳ６の次に、制御部１５は、タイマ２２で計測している経過時間が所定時間以上となっているか否かを判定する（Ｓ７）。なお、この所定時間は、災害発生に伴い、各基幹放送局３０が緊急警報放送を開始する時間差や、受信装置５０のユーザの利便性を考慮して、エリア放送装置１０の設計者等により予め設定される。この所定時間として例えば１０秒が設定される。
【００５３】
経過時間が所定時間以上となっている場合（Ｓ７のＹｅｓ）、制御部１５は、記憶部２１で記憶している組の中で、受信電力が最も大きい組のチャンネルを特定する（Ｓ８）。
【００５４】
次に、イベントメッセージ生成部２５は、ステップＳ８で特定されたチャンネルを、受信装置５０に於いて選局させる情報を含んだイベントメッセージを生成する（Ｓ９）。この生成されたイベントメッセージは、本フローチャートの処理と並行して行なわれている多重化部２６、送信部１７及び送信アンテナ１８の上述した処理により放送される。
【００５５】
ステップＳ９の次は、ステップＳ１に戻る。またステップＳ７でＮｏの場合も、ステップＳ１に戻る。
【００５６】
ステップＳ２で、緊急警報放送が行われていないと判定した場合（Ｓ２のＮｏ）、制御部１５は、記憶部２１で記憶している組の中に、ステップＳ１で受信部１２が受信したチャンネルと同一のチャンネルがあるときは、その組の記憶を削除する（Ｓ１０）。
【００５７】
次に、制御部１５は、記憶部２１で記憶している組が０（一つも無い）か否かを判定する（Ｓ１１）。
【００５８】
記憶部２１で記憶している組が０の場合（Ｓ１１のＹｅｓ）、タイマ２１を停止して、これまでの経過時間を０にリセットする（Ｓ１２）。
【００５９】
記憶部２１で記憶している組が０以外の場合（Ｓ１１のＮｏ）、ステップＳ１２の処理は行なわず、ステップＳ７に進む。
【００６０】
次に具体例として、緊急警報放送が、基幹放送局３０ａ（３１ｃｈ）により１２時０分０秒に開始され、また基幹放送局３０ｃ（３３ｃｈ）により１２時０分５秒に開始された場合の、エリア放送装置１０の処理の流れの一例を説明する。なお基幹放送局３０ｂ（３２ｃｈ）は、何らかの理由で緊急警報放送が開始されなかったものとする。
【００６１】
１２時０分０秒に基幹放送局３０ａ（３１ｃｈ）で緊急警報放送が開始されると、ステップＳ１、ステップＳ２（のＹｅｓ）、ステップＳ３、ステップＳ４と処理が行われ、記憶部２１には、図３（ｂ）に示した様に、ステップＳ１で受信した３１ｃｈとステップＳ３で測定された受信電力（１０とする）が記憶される。タイマ２２は経過時間を計測中でないためステップＳ５の判定はＮｏとなりステップＳ６に進み、タイマ２２での経過時間の計測が開始される。ここで、ステップＳ１〜Ｓ６の処理の所要時間は、説明の簡略化のために０秒する。従って、１２時０分０秒から経過時間の計測が開始される。また、ステップＳ７の処理の所要時間も０とし、ステップＳ７の判定に用いる所定時間は１０秒とする。従ってステップＳ７の判定ではＮｏとなり、ステップＳ１に戻る。
【００６２】
１２時０分５秒に基幹放送局３０ｃ（３３ｃｈ）で緊急警報放送が開始されると、３１ｃｈと時と同様に、３３ｃｈに対してステップＳ１〜Ｓ４の処理が行われ、記憶部２１には、図３（ａ）に示した様に、３３ｃｈと、ステップＳ３で測定された受信電力（２０とする）が追加で記憶される。
【００６３】
１２時０分１０秒になると、ステップＳ７での判定がＹｅｓとなりステップＳ８に進む。ステップＳ８では、その時点での記憶部２１の記憶内容（図３(ａ））に基づき、受信電力の一番大きい受信電力（２０）に対応するチャンネル（３３ｃｈ）が特定される。次に、イベントメッセージ生成部２５は、ステップＳ８で特定された３３ｃｈを、受信装置５０に於いて選局させる情報を含んだイベントメッセージを生成する。このイベントメッセージを含んだ放送を受信した受信装置５０は、上述したＡＲＩＢ規定に従い、３３ｃｈの選局処理が行なわれる。
【００６４】
以上より、エリア放送装置５０の放送を受信している受信装置５０は、緊急警報放送が開始された際に、緊急警報放送が開始されたチャンネルを自動的に選局する。従って、受信装置５０のユーザに緊急警報放送をいち早く視聴させることになる。
【００６５】
また、図４のフローチャートで示した処理を行なうことで、緊急警報放送を行っている基幹放送局３０の内、エリア放送装置５０に於いて受信電力が最も大きい基幹放送局のチャンネルが、受信装置５０で選局されるようになる。これにより、緊急警報放送を行っているが、受信電力が小さく受信装置５０での受信/提示処理が困難となるケースが少なくなる。これは、エリア放送装置１０での受信電力と、受信装置５０での受信電力に強い相関があるという仮定に基づいている。狭い地域を対象としたエリア放送を放送するエリア放送装置１０の場合、エリア放送装置１０と、エリア放送装置１０からの放送を受信している受信装置５０が存在する地点は、その狭い地域に限定される。従って、広い地域を対象とする基幹放送局３０からの放送の、エリア放送装置１０に於ける受信電力と、エリア放送装置１０からの放送を受信している受信装置５０に於ける受信電力は、強い相関にある蓋然性がより高くなる。
【００６６】
なお、上述の説明に於いては、制御部１５が特定するチャンネルは１つとしたが、複数のチャンネルを特定しても良い。制御部１５が複数のチャンネルを特定した場合は、イベントメッセージ生成部２５は、この特定された複数のチャンネルを、当該エリア放送装置１０からの放送波を受信している受信装置５０に於いて選局させる情報を含んだイベントメッセージを生成する。また、エリア放送装置１０が放送するデータ放送に含まれるＢＭＬ文書には、この複数のチャンネルが特定されたイベントメッセージを受信した際、その複数のチャンネルの内の一つのチャンネルに対して選局処理を行ない、その選局処理が失敗した場合は、その複数のチャンネルの内の別の一つのチャンネルに対して選局処理を行なうようなスクリプトを記載しておくことが考えられる。
（実施例２）
実施例２は、実施例１に於けるエリア放送装置１０を簡略化したものである。以下、この簡略化した部分について説明する。
【００６７】
実施例２に於けるエリア放送装置１０は、受信部１２、判定部１３及び測定部１４の組を１組しか持たない。また実施例１で説明した、受信する放送波のチャンネルを一定時間間隔で切替える様な処理も行なわない。また、制御部１５は、記憶部２１及び記憶部２２を持たない。
【００６８】
図４のフローチャートに於いては、ステップＳ４〜Ｓ７及びＳ１０〜Ｓ１２の処理は行わない。ステップＳ２でＮｏの場合は、ステップＳ１に戻る。ステップＳ３の次は、ステップＳ８に進む。なおステップＳ８では、制御部１５は、ステップＳ１で受信しているチャンネルを特定する。
【００６９】
本実施例２によれば、エリア放送装置１０の構成及び処理を簡略化して本発明を実施することができる。
（実施例３）
実施例３は、実施例１に於けるエリア放送装置１０を拡張したものである。以下、この拡張した部分について説明する。
【００７０】
実施例３に於ける受信アンテナ１１は、指向性を持つ。この受信アンテナは、例えば、１秒ごとに受信の指向性の方向を東、西、南、北と切換えて受信する。また、実施例３に於ける送信アンテナ１１は、指向性を持ち、常時一定の方向、例えば東に向けて放送する。
【００７１】
実施例３に於ける記憶部２１は、チャンネルと受信電力とに加え、更に受信アンテナ１１の受信の指向性の方向（以下、受信方向）とを組として複数記憶する。図５は、記憶部２１で記憶するチャンネルと受信電力と受信方向との例を示す図である。
【００７２】
図４のフローチャートに於けるステップＳ４では、制御部１５は、チャンネルと受信電力に加え、受信方向を組として記憶部２１に記憶する。
【００７３】
またステップＳ８では、送信アンテナの指向性の方向（以下、送信方向）、記憶部２１に記憶されているチャンネルと受信電力と受信方向とに基づき、チャンネルを特定する。例えば、送信方向が東の場合、当該エリア放送装置１０の放送を受信する受信装置５０は、当該エリア放送装置１０が存在する地点に対して東の方向に存在する蓋然性が高い。よって、当該エリア放送装置１０に於ける受信方向が東の時の、受信電力が最大のチャンネルが、受信装置５０に於いても受信電力が最大となる蓋然性が高い。この仮定に基づき、ステップＳ８では、受信方向が東の時の、受信電力が最大のチャンネルを特定するという処理が考えられる。この場合、図５に示す内容が記憶されているときは、受信方向が東の時は、受信電力が最大（２５）の３１ｃｈがステップＳ８で特定される。
【００７４】
また指向性が強くない送信アンテナ１１を用いている場合は、前述の様に受信方向が東の時の受信電力に基づきチャンネルを特定するのではなく、各方向の受信電力の総和や、各方向の電力の加重平均に基づきチャンネルを特定しても良い。
【００７５】
以上、本発明の実施例をもとに説明した。この実施例は例示であり、それらの各構成要素や各処理プロセスの組合せにいろいろな変形例が可能なこと、またそうした変形例も本発明の範囲にあることは当業者には理解されるところである。
【符号の説明】
【００７６】
１０  エリア放送装置
１１  受信アンテナ
１２  受信部
１３  判定部
１４  測定部
１５  制御部
１６  放送データ生成部
１７  送信部
１８  送信アンテナ
２１  記憶部
２２  タイマ
２３  映像/音声データ格納部
２４  データ放送データ格納部
２５  イベントメッセージ生成部
２６  多重化部
３０ａ〜ｃ  基幹放送局
５０  受信装置
【図１】
2015126328.tif 000003
【図２】
2015126328.tif 000004
【図３】
2015126328.tif 000005
【図４】
2015126328.tif 000006
【図５】
2015126328.tif 000007